【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  射出成形プロセスのシミュレーション方法において、スプール・ランナー・キャビティを含む成形金型内の成形品部の樹脂挙動を数値シミュレーションによって予測する第１の予測ステップと、前記成形金型の変形量を数値シミュレーションによって予測する第２の予測ステップとを具備したことを特徴とする射出成形プロセスのシミュレーション方法。
【請求項２】  パーティングの開きを考慮するため、パーティング面と前記成形金型の型開きの方向を設定する設定ステップと、前記パーティング面に対して接触条件を与える接触条件付与ステップとを具備したことを特徴とする請求項１記載の射出成形プロセスのシミュレーション方法。
【請求項３】  前記数値シミュレーションは、有限要素法、差分法、有限体積法、及び境界要素法のいずれか１つであることを特徴とする請求項１記載の射出成形プロセスのシミュレーション方法。
【請求項４】  射出成形プロセスのシミュレーション装置において、スプール・ランナー・キャビティを含む成形金型内の成形品部の樹脂挙動を数値シミュレーションによって予測する第１の予測手段と、前記成形金型の変形量を数値シミュレーションによって予測する第２の予測手段とを具備したことを特徴とする射出成形プロセスのシミュレーション装置。
【請求項５】  パーティングの開きを考慮するため、パーティング面と前記成形金型の型開きの方向を設定する設定手段と、前記パーティング面に対して接触条件を与える接触条件付与手段とを具備したことを特徴とする請求項４記載の射出成形プロセスのシミュレーション装置。
【請求項６】  前記数値シミュレーションは、有限要素法、差分法、有限体積法、及び境界要素法のいずれか１つであることを特徴とする請求項４記載の射出成形プロセスのシミュレーション装置。
【請求項７】  射出成形品をモデル化して入力するモデル入力ステップと、成形金型の形状及びパーティング面を入力する形状・パーティング面入力ステップと、前記モデル入力ステップによりモデル化され且つ微小要素に分割されたモデルを基に樹脂の挙動を数値シミュレーションによって予測する第１の予測ステップと、前記形状・パーティング面入力ステップでモデル化された成形金型モデル及びパーティング面を基に前記成形金型の変形量を予測する第２の予測ステップと、予測結果を表示する表示ステップとを具備したことを特徴とする射出成形プロセスのシミュレーション方法。
【請求項８】  前記数値シミュレーションは、有限要素法、差分法、有限体積法、及び境界要素法のいずれか１つであることを特徴とする請求項７記載の射出成形プロセスのシミュレーション方法。
【請求項９】  射出成形品をモデル化して入力するモデル入力手段と、成形金型の形状及びパーティング面を入力する形状・パーティング面入力手段と、前記モデル入力手段によりモデル化され且つ微小要素に分割されたモデルを基に樹脂の挙動を数値シミュレーションによって予測する第１の予測手段と、前記形状・パーティング面入力手段でモデル化された成形金型モデル及びパーティング面を基に前記成形金型の変形量を予測する第２の予測手段と、予測結果を表示する表示手段とを具備したことを特徴とする射出成形プロセスのシミュレーション装置。
【請求項１０】  前記数値シミュレーションは、有限要素法、差分法、有限体積法、及び境界要素法のいずれか１つであることを特徴とする請求項９記載の射出成形プロセスのシミュレーション装置。
【請求項１１】  射出成形プロセスのシミュレーション装置を制御するための制御プログラムを格納した記憶媒体であって、前記制御プログラムは、スプール・ランナー・キャビティを含む成形金型内の成形品部の樹脂挙動を数値シミュレーションによって予測する第１の予測モジュールと、前記成形金型の変形量を数値シミュレーションによって予測する第２の予測モジュールとを具備したことを特徴とする記憶媒体。
【請求項１２】  前記制御プログラムは、パーティングの開きを考慮するため、パーティング面と前記成形金型の型開きの方向を設定する設定モジュールと、前記パーティング面に対して接触条件を与える接触条件付与モジュールとを具備したことを特徴とする請求項１１記載の記憶媒体。
【請求項１３】  前記数値シミュレーションは、有限要素法、差分法、有限体積法、及び境界要素法のいずれか１つであることを特徴とする請求項１２記載の記憶媒体。
【請求項１４】  射出成形プロセスのシミュレーション装置を制御するための制御プログラムを格納した記憶媒体であって、前記制御プログラムは、射出成形品をモデル化して入力するモデル入力モジュールと、成形金型の形状及びパーティング面を入力する形状・パーティング面入力モジュールと、前記モデル入力ステップによりモデル化され且つ微小要素に分割されたモデルを基に樹脂の挙動を数値シミュレーションによって予測する第１の予測モジュールと、前記形状・パーティング面入力ステップでモデル化された成形金型モデル及びパーティング面を基に前記成形金型の変形量を予測する第２の予測モジュールと、予測結果を表示する表示モジュールとを具備したことを特徴とする記憶媒体。
【請求項１５】  前記数値シミュレーションは、有限要素法、差分法、有限体積法、及び境界要素法のいずれか１つであることを特徴とする請求項１４記載の記憶媒体。
【請求項１６】  前記記憶媒体は、フロッピー(登録商標)ディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、及びＲＯＭ（Ｒｅａｄ  Ｏｎｌｙ  Ｍｅｍｏｒｙ）チップのいずれか１つであることを特徴とする請求項１１〜１５のいずれか１項に記載の記憶媒体。
【手続補正２】
【補正対象書類名】明細書
【補正対象項目名】０００８
【補正方法】変更
【補正の内容】
【０００８】
また、上記第１の目的を達成するために請求項３記載の射出成形プロセスのシミュレーション方法は、請求項１記載の射出成形プロセスのシミュレーション方法において、前記数値シミュレーションは、有限要素法、差分法、有限体積法、及び境界要素法のいずれか１つであることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、上記第１の目的を達成するために請求項４記載の射出成形プロセスのシミュレーション装置は、射出成形プロセスのシミュレーション装置において、スプール・ランナー・キャビティを含む成形金型内の成形品部の樹脂挙動を数値シミュレーションによって予測する第１の予測手段と、前記成形金型の変形量を数値シミュレーションによって予測する第２の予測手段とを具備したことを特徴とする。
【手続補正７】
【補正対象書類名】明細書
【補正対象項目名】００１３
【補正方法】変更
【補正の内容】
【００１３】
また、上記第１の目的を達成するために請求項５記載の射出成形プロセスのシミュレーション装置は、請求項４記載の射出成形プロセスのシミュレーション装置において、パーティングの開きを考慮するため、パーティング面と前記成形金型の型開きの方向を設定する設定手段と、前記パーティング面に対して接触条件を与える接触条件付与手段とを具備したことを特徴とする。
【手続補正８】
【補正対象書類名】明細書
【補正対象項目名】００１４
【補正方法】変更
【補正の内容】
【００１４】
また、上記第１の目的を達成するために請求項６記載の射出成形プロセスのシミュレーション装置は、請求項４記載の射出成形プロセスのシミュレーション装置において、前記数値シミュレーションは、有限要素法、差分法、有限体積法、及び境界要素法のいずれか１つであることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また、上記第１の目的を達成するために請求項７記載の射出成形プロセスのシミュレーション方法は、射出成形品をモデル化して入力するモデル入力ステップと、成形金型の形状及びパーティング面を入力する形状・パーティング面入力ステップと、前記モデル入力ステップによりモデル化され且つ微小要素に分割されたモデルを基に樹脂の挙動を数値シミュレーションによって予測する第１の予測ステップと、前記形状・パーティング面入力ステップでモデル化された成形金型モデル及びパーティング面を基に前記成形金型の変形量を予測する第２の予測ステップと、予測結果を表示する表示ステップとを具備したことを特徴とする。
【手続補正１３】
【補正対象書類名】明細書
【補正対象項目名】００１９
【補正方法】変更
【補正の内容】
【００１９】
また、上記第１の目的を達成するために請求項８記載の射出成形プロセスのシミュレーション方法は、請求項７記載の射出成形プロセスのシミュレーション方法において、前記数値シミュレーションは、有限要素法、差分法、有限体積法、及び境界要素法のいずれか１つであることを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
また、上記第１の目的を達成するために請求項９記載の射出成形プロセスのシミュレーション装置は、射出成形品をモデル化して入力するモデル入力手段と、成形金型の形状及びパーティング面を入力する形状・パーティング面入力手段と、前記モデル入力手段によりモデル化され且つ微小要素に分割されたモデルを基に樹脂の挙動を数値シミュレーションによって予測する第１の予測手段と、前記形状・パーティング面入力手段でモデル化された成形金型モデル及びパーティング面を基に前記成形金型の変形量を予測する第２の予測手段と、予測結果を表示する表示手段とを具備したことを特徴とする。
【手続補正１８】
【補正対象書類名】明細書
【補正対象項目名】００２４
【補正方法】変更
【補正の内容】
【００２４】
また、上記第１の目的を達成するために請求項１０記載の射出成形プロセスのシミュレーション装置は、請求項９記載の射出成形プロセスのシミュレーション装置において、前記数値シミュレーションは、有限要素法、差分法、有限体積法、及び境界要素法のいずれか１つであることを特徴とする。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
また、上記第２の目的を達成するために請求項１１記載の記憶媒体は、射出成形プロセスのシミュレーション装置を制御するための制御プログラムを格納した記憶媒体であって、前記制御プログラムは、スプール・ランナー・キャビティを含む成形金型内の成形品部の樹脂挙動を数値シミュレーションによって予測する第１の予測モジュールと、前記成形金型の変形量を数値シミュレーションによって予測する第２の予測モジュールとを具備したことを特徴とする。
【手続補正２３】
【補正対象書類名】明細書
【補正対象項目名】００２９
【補正方法】変更
【補正の内容】
【００２９】
また、上記第２の目的を達成するために請求項１２記載の記憶媒体は、請求項１１記載の記憶媒体において、前記制御プログラムは、パーティングの開きを考慮するため、パーティング面と前記成形金型の型開きの方向を設定する設定モジュールと、前記パーティング面に対して接触条件を与える接触条件付与モジュールとを具備したことを特徴とする。
【手続補正２４】
【補正対象書類名】明細書
【補正対象項目名】００３０
【補正方法】変更
【補正の内容】
【００３０】
また、上記第２の目的を達成するために請求項１３記載の記憶媒体は、請求項１１記載の記憶媒体において、前記数値シミュレーションは、有限要素法、差分法、有限体積法、及び境界要素法のいずれか１つであることを特徴とする。
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】変更
【補正の内容】
【００３４】
また、上記第２の目的を達成するために請求項１４記載の記憶媒体は、射出成形プロセスのシミュレーション装置を制御するための制御プログラムを格納した記憶媒体であって、前記制御プログラムは、射出成形品をモデル化して入力するモデル入力モジュールと、成形金型の形状及びパーティング面を入力する形状・パーティング面入力モジュールと、前記モデル入力ステップによりモデル化され且つ微小要素に分割されたモデルを基に樹脂の挙動を数値シミュレーションによって予測する第１の予測モジュールと、前記形状・パーティング面入力ステップでモデル化された成形金型モデル及びパーティング面を基に前記成形金型の変形量を予測する第２の予測モジュールと、予測結果を表示する表示モジュールとを具備したことを特徴とする。
【手続補正２９】
【補正対象書類名】明細書
【補正対象項目名】００３５
【補正方法】変更
【補正の内容】
【００３５】
また、上記第２の目的を達成するために請求項１５記載の記憶媒体は、請求項１４記載の記憶媒体において、前記数値シミュレーションは、有限要素法、差分法、有限体積法、及び境界要素法のいずれか１つであることを特徴とする。
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】変更
【補正の内容】
【００３９】
また、上記第２の目的を達成するために請求項１６記載の記憶媒体は、請求項１１〜１５のいずれか1項に記載の記憶媒体において、前記記憶媒体は、フロッピー(登録商標)ディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、及びＲＯＭ（Ｒｅａｄ  Ｏｎｌｙ  Ｍｅｍｏｒｙ）チップのいずれか１つであることを特徴とする。
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】